(57)【要約】【課題】無端ベルトに遊技球を間欠的に送り込んでも遊技球の噛み込みが起こらない遊技球揚送装置を提供する。【解決手段】遊技球揚送装置20は、第１プーリー31に輪状に掛けられた第１無端ベルト34を有し、遊技球を第１無端ベルト34に載せて搬送する第１ベルトコンベヤ30と、第２プーリー41に輪状に掛けられた第２無端ベルト44を有し、第１無端ベルト34の搬送する遊技球を第２無端ベルト44に受けて揚送する第２ベルトコンベヤ40とを備える。第１無端ベルト34及び第２無端ベルト44の外周には、複数の横桟35,45が所定のピッチで形成される。第１無端ベルト34における横桟35の間隙は、遊技球を収納可能な第１収納部36とされ、第２無端ベルト44における横桟45の間隙は、遊技球を収納可能な第２収納部46とされる。第１収納部36の収納する遊技球を第２収納部46へ受け渡すように、第１無端ベルト34と第２無端ベルト44とが同期して回転する。【選択図】図３
2013056044.tif 000002
【特許請求の範囲】
【請求項１】
複数の第１プーリーに輪状に掛けられて回転する第１無端ベルトを有し、遊技球を前記第１無端ベルトに載せて搬送する第１ベルトコンベヤと、
複数の第２プーリーに輪状に掛けられて回転する第２無端ベルトを有し、前記第１無端ベルトの搬送する遊技球を前記第２無端ベルトに受けて上方へ揚送する第２ベルトコンベヤとを備えた遊技球揚送装置であって、
前記第１無端ベルト及び前記第２無端ベルトの外周には、外方へ突出する複数の横桟が周方向に所定のピッチで形成され、
前記第１無端ベルトにおける隣り合う前記横桟の間隙は、遊技球を収納可能な第１収納部とされ、
前記第２無端ベルトにおける隣り合う前記横桟の間隙は、遊技球を収納可能な第２収納部とされ、
前記第１収納部の収納する遊技球を前記第２収納部へ受け渡すように、前記第１無端ベルトと前記第２無端ベルトとが同期して回転することを特徴とする遊技球揚送装置。
【請求項２】
前記第１プーリー又は前記第２プーリーのいずれか一方が駆動軸に取り付けられたモータと、
前記第１プーリー又は前記第２プーリーのいずれか他方に前記モータの動力を伝動する伝動装置とを備え、
前記モータの作動により前記第１プーリーと前記第２プーリーとが同期して回転することを特徴とする請求項１記載の遊技球揚送装置。
【発明の詳細な説明】
【技術分野】
【０００１】
本発明は、遊技球を揚送する遊技球揚送装置に関する。
【背景技術】
【０００２】
従来、パチンコ玉などの遊技球を揚送する遊技球揚送装置として、上下一対のプーリーと、一対のプーリーに輪状に掛けられて回転する無端ベルトとを備えたものが知られている。この無端ベルトの外周には、複数の横桟が周方向に所定のピッチで形成されており、隣り合う横桟の間隙に遊技球を収納して揚送する（特許文献１参照）。
【先行技術文献】
【特許文献】
【０００３】
【特許文献１】特開平５−２３７２５９号公報
【発明の概要】
【発明が解決しようとする課題】
【０００４】
ところで、特許文献１記載の遊技球揚送装置では、無端ベルトにおける降下側の下部へ複数の遊技球を整列させて連続的に送り込む整列装置が必要であった。
また、整列装置に遊技球が不足して、無端ベルトに遊技球を間欠的に送り込んだ場合に、遊技球揚送装置における遊技球の受け入れ部位で無端ベルトの横桟が遊技球を噛み込んでしまうことがあった。
そこで、本発明は、上述した問題に鑑みてなされたものであり、無端ベルトに複数の遊技球を整列させて連続的に送り込む整列装置が不要であり、無端ベルトに遊技球を間欠的に送り込んでも遊技球の噛み込みが起こらない遊技球揚送装置を提供することを課題とする。
【課題を解決するための手段】
【０００５】
（第１の発明）
本発明のうち第１の発明は、
複数の第１プーリー(31)に輪状に掛けられて回転する第１無端ベルト(34)を有し、遊技球を前記第１無端ベルト(34)に載せて搬送する第１ベルトコンベヤ(30)と、
複数の第２プーリー(41)に輪状に掛けられて回転する第２無端ベルト(44)を有し、前記第１無端ベルト(34)の搬送する遊技球を前記第２無端ベルト(44)に受けて上方へ揚送する第２ベルトコンベヤ(40)とを備えた遊技球揚送装置(20)であって、
前記第１無端ベルト(34)及び前記第２無端ベルト(44)の外周には、外方へ突出する複数の横桟(35,45)が周方向に所定のピッチで形成され、
前記第１無端ベルト(34)における隣り合う前記横桟(35)の間隙は、遊技球を収納可能な第１収納部(36)とされ、
前記第２無端ベルト(44)における隣り合う前記横桟(45)の間隙は、遊技球を収納可能な第２収納部(46)とされ、
前記第１収納部(36)の収納する遊技球を前記第２収納部(46)へ受け渡すように、前記第１無端ベルト(34)と前記第２無端ベルト(44)とが同期して回転することを特徴とする。
【０００６】
遊技球としては、例えば、パチンコ機(87)やパロット（登録商標）などで使用されるパチンコ玉が挙げられる。
第１無端ベルト(34)における隣り合う横桟(35)の間隙は、遊技球の直径よりも大きく、遊技球の直径の２倍よりも小さく形成することが望ましい。具体的には、１つの第１収納部(36)につき１個の遊技球を収納するように形成してもよい。または、１つの第１収納部(36)につき複数個の遊技球を第１無端ベルト(34)の幅方向に一列に収納するように形成してもよい。
第２無端ベルト(44)における隣り合う横桟(45)の間隙は、遊技球の直径よりも大きく、遊技球の直径の２倍よりも小さく形成することが望ましい。具体的には、１つの第２収納部(46)につき１個の遊技球を収納するように形成してもよい。または、１つの第２収納部(46)につき複数個の遊技球を第２無端ベルト(44)の幅方向に一列に収納するように形成してもよい。
【０００７】
（第２の発明）
本発明のうち第２の発明は、前記第１の発明の特徴に加え、
前記第１プーリー(31)又は前記第２プーリー(41)のいずれか一方が駆動軸に取り付けられたモータ(90)と、
前記第１プーリー(31)又は前記第２プーリー(41)のいずれか他方に前記モータ(90)の動力を伝動する伝動装置(70)とを備え、
前記モータ(90)の作動により前記第１プーリー(31)と前記第２プーリー(41)とが同期して回転することを特徴とする。
【０００８】
モータ(90)の駆動軸には第１プーリー(31)を取り付けてもよく、或いは第２プーリー(41)を取り付けてもよい。
モータ(90)の駆動軸に第１プーリー(31)を取り付けた場合には、伝動装置(70)は第２プーリー(41)にモータ(90)の動力を伝動し、モータ(90)の駆動軸に第２プーリー(41)を取り付けた場合には、伝動装置(70)は第１プーリー(31)にモータ(90)の動力を伝動する。
伝動装置(70)は、例えば、複数のギアで構成されてもよいし、又は、タイミングベルト及びタイミングプーリーで構成されてもよい。
【発明の効果】
【０００９】
本発明によれば、遊技球が第１無端ベルトに送り込まれると、遊技球を第１収納部に収納して第２無端ベルトへ向けて搬送する。そして、第１無端ベルトと第２無端ベルトとが同期して回転し、第１収納部の収納する遊技球を第２収納部へ受け渡すされるようになっている。このように第１収納部から第２収納部へ遊技球を受け渡すため、遊技球が第１無端ベルトに間欠的に送り込まれても、第２ベルトコンベヤにおける遊技球の受け入れ部位で第２無端ベルトの横桟が遊技球を噛み込まない。
また、本発明では、第１無端ベルトに遊技球を間欠的に送り込んでも第２無端ベルトにおいて遊技球の噛み込みが起こらないことから、第１無端ベルトに複数の遊技球を整列させて連続的に送り込む必要がなく、しがたって上述の整列装置が不要である。
【図面の簡単な説明】
【００１０】
【図１】本発明の実施の形態に係る遊技球揚送装置を備えた遊技機島を示す正面図である。
【図２】本発明の実施の形態に係る遊技球揚送装置を示す斜視図である。
【図３】本発明の実施の形態に係る第１ベルトコンベヤ及び第２ベルトコンベヤを一部破断して示す正面図である。
【図４】本発明の実施の形態に係る第１ベルトコンベヤを右側から見た縦断面図である。
【図５】本発明の実施の形態に係るモータ、第１プーリー、第２プーリー及び伝動装置を示す斜視図である。
【発明を実施するための形態】
【００１１】
本発明を実施するための形態を、図面を参照しつつ説明する。
図１に示すように、ホールには、遊技機島80と呼ばれる建造物が建設される。この遊技機島80の膳板81には、遊技球としてパチンコ玉Pを用いるパチンコ機87が設置されている。
遊技機島80の下部には、パチンコ玉Pを貯留するパチンコ玉回収タンク10が設けられている。パチンコ機87の入賞口やアウト口等に入球して外部へ排出されたパチンコ玉Pは、パチンコ玉回収通路89を流下してパチンコ玉回収タンク10に回収される。
また、遊技機島80の膳板81におけるパチンコ機87の正面には、パチンコ機87から払い出されたパチンコ玉Pを貯留する計数受け皿82が設けられている。
【００１２】
また、遊技機島80の膳板81におけるパチンコ機87の左側の位置には、パチンコ玉Pをパチンコ機87の上皿に払い出すパチンコ玉サンド83が設けられ、パチンコ玉サンド83の左隣にはパチンコ玉計数ユニット86が設けられている。パチンコ玉計数ユニット86は、計数受け皿82のパチンコ玉Pを受け入れて計数するパチンコ玉カウンタ84と、パチンコ玉カウンタ84の計数をＩＣカードに記録させるリーダライタ85とを備えている。パチンコ玉カウンタ84で計数されたパチンコ玉Pは、パチンコ玉回収タンク10に回収されるようになっている。
遊技機島80の上部には、パチンコ機87やパチンコ玉サンド83にパチンコ玉Pを供給するパチンコ玉供給タンク88が設けられている。また、遊技機島80におけるパチンコ機87の裏面側の位置には、パチンコ玉回収タンク10内のパチンコ玉Pを運搬する遊技球揚送装置20が設けられている。この遊技球揚送装置20は、パチンコ玉回収タンク10に貯留されたパチンコ玉Pをパチンコ玉供給タンク88へ運搬する。
【００１３】
（パチンコ玉回収タンク10）
図２に示すように、パチンコ玉回収タンク10は、上下方向に開口した四角筒状の角筒部11と、角筒部11の内部空間を上下方向に仕切る底板部12とを備えている。パチンコ玉回収タンク10のうち、少なくとも角筒部11は透明な材料（例えば合成樹脂など）で形成されている。
角筒部11の奥側側壁13は、その略右半分が底板部12の奥側端部よりも奥方向に退いた形状となっており、奥側側壁13の略右半分と底板部12の奥側端部との間に間隙（以下「落下穴14」という。）が形成されている。落下穴14の前後方向の間隔は、パチンコ玉Pの直径よりも僅かに大きく形成されている。
【００１４】
角筒部11の内部空間における落下穴14の下方の位置には、パチンコ玉回収タンク10内のパチンコ玉Pを運び出す第１ベルトコンベヤ30が設けられている。
底板部12の上面は、パチンコ玉Pが落下穴14に向けて転がるように傾斜面が形成されている。これにより、パチンコ玉回収タンク10に回収されたパチンコ玉Pは、落下穴14に転がり落ちて第１ベルトコンベヤ30に載せられる。
角筒部11の奥側であって、第１ベルトコンベヤ30の左隣の位置には、第１ベルトコンベヤ30の運び出したパチンコ玉Pをパチンコ玉供給タンク88へ持ち上げる第２ベルトコンベヤ40が設けられている。
【００１５】
角筒部11における第１ベルトコンベヤ30の左端部と第２ベルトコンベヤ40の下部との間の位置には、第１ベルトコンベヤ30の運び出すパチンコ玉Pをパチンコ玉回収タンク10外へ送り出すための送出口15が形成されている。
第２ベルトコンベヤ40は、縦長角筒状のハウジング50を備えている。ハウジング50における送出口15に対向する位置には、送出口15から送り出されたパチンコ玉Pを受け取るための受取口51（図３参照）が形成されている。
ハウジング50における右側上部には、第２ベルトコンベヤ40が揚送したパチンコ玉Pをパチンコ玉供給タンク88に転がり落とすパチンコ玉シュート52が設けられている。
【００１６】
（遊技球揚送装置20）
図３に示すように、遊技球揚送装置20は、パチンコ玉Pを運搬するためにものであり、上述の第１ベルトコンベヤ30と第２ベルトコンベヤ40とを備えている。
第１ベルトコンベヤ30は、左右２個の第１プーリー31と、この２個の第１プーリー31に輪状に掛けられて回転する第１無端ベルト34とを備えている。左右２個の第１プーリー31は、角筒部11内に略水平方向に配設されている。第１無端ベルト34における左側のＵターン部分は、パチンコ玉回収タンク10の送出口15に挿通されるとともに、ハウジング50の受取口51に臨んでいる。特に図示しないが、第１プーリー31の外周には複数の歯が所定のピッチで形成されるとともに、第１無端ベルト34の内周には複数の歯が所定のピッチで形成されている。そして、第１プーリー31の歯と第１無端ベルト34の歯とが噛み合わされており、第１プーリー31の回転にともない第１無端ベルト34も回転する。なお、一対の第１プーリー31のうち、左側に位置する第１プーリー31を「左側第１プーリー32」とし、右側に位置する第１プーリー31を「右側第１プーリー33」とする。
【００１７】
第１無端ベルト34の外周には、外方へ突出する複数の横桟35が周方向に所定のピッチで形成されている。横桟35は、パチンコ玉Pの直径よりも僅かに大きいピッチで第１無端ベルト34に設けられており、第１無端ベルト34における隣り合う横桟35の間隙は、遊技球を収納可能な第１収納部36となっている。図４に示すように、第１無端ベルト34における上側の水平な外周面が、パチンコ回収タンクの落下穴14の縁に近接するとともに、この外周面に形成された横桟35が、落下穴14へ突出している。第１無端ベルト34の外周からの横桟35の高さは、パチンコ玉Pの半径とほぼ等しく形成されている。第１無端ベルト34の幅は、パチンコ玉Pの直径よりも僅かに小さく形成されている。横桟35の幅は、第１無端ベルト34の幅とほぼ等しい、つまり、パチンコ玉Pの直径よりも僅かに小さく形成されている。落下穴14の前後方向の間隔はパチンコの直径よりも僅かに大きく、したがって、横桟35は落下穴14の縁に接触しない。
【００１８】
図３に示すように、第２ベルトコンベヤ40は、上下２個の第２プーリー41と、この２個の第２プーリー41に輪状に掛けられて回転する第２無端ベルト44を備えている。上下２個の第２プーリー41は、ハウジング50内に略垂直方向に配設されている。第２無端ベルト44における下側のＵターン部分は、ハウジング50の受取口51に臨んでいる。そして、この受取口51において、第２無端ベルト44の下側Ｕターン部分と第１無端ベルト34の左側Ｕターン部分とが近接している。特に図示しないが、第２プーリー41の外周には複数の歯が所定のピッチで形成されるとともに、第２無端ベルト44の内周には複数の歯が所定のピッチで形成されている。そして、第２プーリー41の歯と第２無端ベルト44の歯とが噛み合わされており、第２プーリー41の回転にともない第２無端ベルト44も回転する。なお、一対の第２プーリー41のうち、下側に位置する第２プーリー41を「下側第２プーリー42」とし、上側に位置する第２プーリー41を「上側第２プーリー43」とする。
【００１９】
第２無端ベルト44の外周には、外方へ突出する複数の横桟45が周方向に所定のピッチで形成されている。横桟45は、パチンコ玉Pの直径よりも僅かに大きいピッチで第２無端ベルト44に設けられており、第２無端ベルト44における隣り合う横桟45の間隙は、遊技球を収納可能な第２収納部46となっている。第２無端ベルト44の幅は、パチンコ玉Pの直径よりも僅かに小さく形成されている。横桟45の幅は、第２無端ベルト44の幅とほぼ等しく形成されている。第２無端ベルト44の外周からの横桟45の高さは、パチンコ玉Pの半径とほぼ等しく形成されている。
図３に示すように、ハウジング50の内部における第２無端ベルト44の下方の位置には、第１収納部36から受け取った遊技球を誘導するための下側ガイド部53が形成されている。下側ガイド部53は、第２無端ベルト44の下側Ｕターン部分に対応した湾曲形状となっている。この下側ガイド部53の上面、第２無端ベルト44の下側Ｕターン部分の外周面、及びハウジング50の内周面に囲まれた空間は、パチンコ玉Pが第２無端ベルト44の下をくぐって移動する下側湾曲通路61となっている。下側ガイド部53の上面と第２無端ベルト44の下側Ｕターン部分の外周面との間隙は、遊技球の直径よりも僅かに大きく形成されている。
【００２０】
第２無端ベルト44における左側の略垂直な外周面と、ハウジング50の内周面に囲まれた空間は、下側湾曲通路61を通過したパチンコ玉Pが略垂直上方に移動する垂直通路62となっている。第２無端ベルト44における左側の略垂直な外周面と、該外周面に対向するハウジング50の内周面との間隙は、遊技球の直径よりも僅かに大きく形成されている。
ハウジング50の内部における第２無端ベルト44の上方の位置には、遊技球をパチンコ玉シュート52へ誘導するための上側ガイド部54が形成されている。上側ガイド部54は、第２無端ベルト44の上側Ｕターン部分に対応した湾曲形状となっている。この上側ガイド部54の下面、第２無端ベルト44の上側Ｕターン部分の外周面、及びハウジング50の内周面に囲まれた空間は、パチンコ玉Pが第２無端ベルト44の上を乗り越えて移動する上側湾曲通路63となっている。上側ガイド部54の下面と第２無端ベルト44の上側Ｕターン部分の外周面との間隙は、遊技球の直径よりも僅かに大きく形成されている。
【００２１】
図５に示すように、遊技球揚送装置20は、第１プーリー31及び第２プーリー41を回転させるためのモータ90を備えている。本実施の形態では、モータ90は、第２ベルトコンベヤ40のハウジング50における奥側の外周に設置されている。モータ90の駆動軸には、下側第２プーリー42が取り付けられている。
また、遊技球揚送装置20は、第１プーリー31にモータ90の動力を伝動する伝動装置70を備えている。図５に示すように、本実施の形態では、伝動装置70は、左側第１プーリー32の回転軸に取り付けられた第１ギア71と、下側第２プーリー42の回転軸に取り付けられた第２ギア72とを備えている。第１ギア71及び第２ギア72は、円筒の外周に歯が切られており、第１ギア71の歯と第２ギア72の歯とが噛み合わされている。
【００２２】
モータ90の作動が作動すると、駆動軸に連結された下側第２プーリー42が時計回りに回転する。この下側第２プーリー42の回転により、第２無端ベルト44と上側第２プーリー43とが時計回りに回転する。
また、モータ90の作動により下側第２プーリー42が時計回りに回転すると、下側第２プーリー42に連結された第２ギア72も時計回りに回転する。この第２ギア72の回転により、第２ギア72と噛み合う第１ギア71が反時計回りに回転して、第１ギア71に連結する左側第１プーリー32も反時計回りに回転する。この左側第１プーリー32の回転により、第１無端ベルト34と右側第１プーリー33とが反時計回りに回転する。
【００２３】
したがって、モータ90が作動すると、左側第１プーリー32と下側第２プーリー42とが同期して回転し、第１無端ベルト34と第２無端ベルト44とが同期して回転することになる。
伝動装置70は、第１無端ベルト34及び第２無端ベルト44が回転する際、第１無端ベルト34の横桟35と第２無端ベルト44の横桟45とが受取口51において最も接近するように回転を同期させる。これにより、パチンコ玉Pを第１収納部36から第２収納部46へ受け渡すことができる。
具体的には、第１ギア71及び第２ギア72は、左側第１プーリー32を回転させる際、第１無端ベルト34の横桟35が第２無端ベルト44の横桟45に受取口51で最も接近するように第１無端ベルト34の回転を同期させるように形成されている。
【００２４】
（パチンコ玉Pの運搬）
パチンコ玉回収タンク10に回収されたパチンコ玉Pは、底板部12の上面を転がって落下穴14に落下する（図２参照）。図３に示すように、落下穴14に転がり落ちたパチンコ玉Pは、落下穴14に臨む第１無端ベルト34の第１収納部36に１個ずつ載せられる。第１無端ベルト34は反時計回りに回転しており、第１収納部36に収納されたパチンコ玉Pは送出口15に向けて運搬される。この送出口15に対向する受取口51において、第１無端ベルト34の左側Ｕターン部分と第２無端ベルト44の下側Ｕターン部分とが近接している。また、受取口51において第１無端ベルト34の横桟35と第２無端ベルト44の横桟45とが最も接近するように、換言すると、受取口51において第１収納部36と第２収納部46が対向するように、第１無端ベルト34と第２無端ベルト44とがタイミングを合わせて回転している。第１収納部36に収納されたパチンコ玉Pは、受取口51において該第１収納部36に対向する第２収納部46へ受け渡される。
【００２５】
第２収納部46に収納されたパチンコ玉Pは、第２無端ベルト44の横桟45に導かれて下側湾曲通路61を通過し、この下側湾曲通路61に続く垂直通路62を上昇する。垂直通路62を上りきり上側湾曲通路63に到達したパチンコ玉Pは、第２無端ベルト44の横桟45に導かれて上側湾曲通路63を通過してパチンコ玉シュート52に到達する。そして、第２収納部46に収納されたパチンコ玉Pは、パチンコ玉シュート52へ零れ落ち、パチンコ玉供給タンク88に転がり落ちる。
なお、第２ベルトコンベヤ40のハウジング50内に研磨材（例えば、不織布など）を設け、研磨材と垂直通路62のパチンコ玉Pとが接触するように形成してもよい。これにより、パチンコ玉Pが垂直通路62を上昇する際に、パチンコ玉Pに付着した汚れが研磨材に拭き取られる。
【００２６】
以上のように、本発明に係る実施の形態によれば、パチンコ玉Pが第１無端ベルト34に送り込まれると、パチンコ玉Pを第１収納部36に収納して第２無端ベルト44へ向けて搬送する。そして、第１無端ベルト34と第２無端ベルト44とが同期して回転し、第１収納部36の収納するパチンコ玉Pを第２収納部46へ受け渡すされるようになっている。このように第１収納部36から第２収納部46へパチンコ玉Pを受け渡すため、パチンコ玉Pが第１無端ベルト34に間欠的に送り込まれても、第２ベルトコンベヤ40における遊技球の受け入れ部位で第２無端ベルト44の横桟45が遊技球を噛み込まない。
また、本発明に係る実施の形態では、第１無端ベルト34に遊技球を間欠的に送り込んでも第２無端ベルト44において遊技球の噛み込みが起こらないことから、第１無端ベルト34に複数の遊技球を整列させて連続的に送り込む必要がなく、しがたって従来必要であった整列装置が不要である。
【００２７】
なお、本発明は、上述した実施の形態に限定されるものではなく、本発明の目的を達成できる範囲における変形や改良も含むものである。
上記した実施の形態に係る遊技球揚送装置20は、遊技機島80に設置され、遊技機島80における遊技球の運搬を行っているが、本発明はこれに限定されるものでない。本発明に係る遊技球揚送装置20は、遊技球を使用する機械（例えば、遊技機など）に設けられ、該機械における遊技球の運搬を行うように形成されてもよい。
【符号の説明】
【００２８】
10  パチンコ玉回収タンク              11  角筒部
12  底板部                            13  奥側側壁
14  落下穴                            15  送出口
20  遊技球揚送装置
30  第１ベルトコンベヤ                31  第１プーリー
32  左側第１プーリー                  33  右側第１プーリー
34  第１無端ベルト                    35  横桟
36  第１収納部
40  第２ベルトコンベヤ                41  第２プーリー
42  下側第２プーリー                  43  上側第２プーリー
44  第２無端ベルト                    45  横桟
46  第２収納部
50  ハウジング                        51  受取口
52  パチンコ玉シュート                53  下側ガイド部
54  上側ガイド部
61  下側湾曲通路                      62  垂直通路
63  上側湾曲通路
70  伝動装置                          71  第１ギア
72  第２ギア
80  遊技機島                          81  膳板
82  計数受け皿                        83  パチンコ玉サンド
84  パチンコ玉カウンタ                85  リーダライタ
86  パチンコ玉計数ユニット            87  パチンコ機
88  パチンコ玉供給タンク              89  パチンコ玉回収通路
90  モータ                            P   パチンコ玉
【図１】
2013056044.tif 000003
【図２】
2013056044.tif 000004
【図３】
2013056044.tif 000005
【図４】
2013056044.tif 000006
【図５】
2013056044.tif 000007